(57)【特許請求の範囲】
【請求項１】
第一の巻出兼巻取装置にセットした巻取からウェブを巻き出し、検査領域及び処理領域を通して走行させて第二の巻出兼巻取装置で巻き取ってゆき、その際にウェブの欠陥の検査並びに欠陥に対する処置を行い、第二の巻出兼巻取装置によるウェブの巻き取りを終了した後、今度は第二の巻出兼巻取装置に巻き取って形成した巻取からウェブを巻き出し、前回とは逆方向に走行させて前記第一の巻出兼巻取装置で巻き取ってゆき、その際にウェブに対して、コーティング、印刷、ラミネートから選んだ所定の処理を施すことを特徴とするウェブの検査、処理方法。
【請求項２】
それぞれがウェブの巻き出し及び巻き取りを行う第一の巻出兼巻取装置及び第二の巻出兼巻取装置と、前記第一の巻出兼巻取装置と第二の巻出兼巻取装置の間で、ウェブが所定の走行経路を走行するように案内するガイド手段と、前記所定の走行経路を第一の巻出兼巻取装置から第二の巻出兼巻取装置に向かって走行するウェブの欠陥を検査する検査装置と、前記所定の走行経路を第二の巻出兼巻取装置から第一の巻出兼巻取装置に向かって走行するウェブに、コーティング、印刷、ラミネートから選んだ所定の処理を施す処理装置とを備えたことを特徴とするウェブの検査、処理装置。
【請求項３】
前記ウェブの走行経路に、ウェブの欠陥を覆い隠すようにウェブ両面にテープを貼り付けるテープ貼り付け装置を設けていることを特徴とする請求項２記載のウェブの検査、処理装置。
【請求項４】
前記テープ貼り付け装置が、ウェブの走行経路をはさんで配置され、それぞれが、ウェブの全幅以上の長さのテープを吸着保持する第一吸着板及び第二吸着板と、前記第一吸着板及び第二吸着板をウェブから離れた待機位置と、それぞれに保持しているテープをウェブの同一領域の両面に貼り付ける貼り付け位置に移動させる駆動手段とを備えていることを特徴とする請求項３記載のウェブの検査、処理装置。
【請求項５】
前記検査装置によるウェブの検査位置の両側にそれぞれ、ウェブを幅方向に広げるためのエキスパンダーローラと、そのエキスパンダーローラの湾曲方向をウェブの走行方向に応じて変更する切り替え手段を設けていることを特徴とする請求項２から４のいずれか１項記載のウェブの検査、処理装置。
【発明の詳細な説明】
【０００１】
【発明の属する技術分野】
本発明は、フィルム、紙等のウェブの欠陥を検査し、処置した後、そのウェブに所定の処理を施す方法並びに装置に関する。
【０００２】
【従来の技術】
従来より、各種のウェブに対してコーティング、印刷、ラミネート等の処理を施すことが広く行われてる。例えば、壁紙の製造工程では、基材のウェブ（紙）に対して、発泡ウレタン、発泡塩ビ等のコーティングが行われており、粘着テープの製造工程では、基材のウェブ（クラフト紙等）に粘着剤の塗布が行われている。また、蒸着フィルムの製造工程では、基材のウェブ（フィルム）に対して蒸着が行われ、更に蒸着後のウェブに対してプライマーコーティングが行われている。
【０００３】
ウェブに対してこのような処理を施す場合、通常、処理後に製品の検査を行い、欠陥があると、その部分を除去するとか、目印を付ける等の処置を行っている。ところで、製品に存在する欠陥のなかには、処理前のウェブ自体に、異物付着、汚れ、シワ、穴、切れ目等の欠陥がある場合がある。このように処理前のウェブに欠陥があった場合、欠陥のある部分にもコーティング等の所定の処理を施し、その後に除去するという処置を採るのでは、欠陥部分に所定の処理を施すことが無駄となり、特に、処理のために高価な材料（例えば、高価なコーティング剤等）を用いる場合などには不経済となるという問題があった。また、ウェブに貫通した穴や切れ目等の欠陥があった場合、そのウェブに片面からコーティングや印刷を施した場合には、コーティング剤やインキがウェブの反対側に漏れ出してしまい、ウェブの広い範囲を汚すのみならず、ウェブ搬送用のローラまで汚してしまうというトラブルを生じる問題もあった。
【０００４】
【発明が解決しようとする課題】
そこで、これらの問題を解決するには、ウェブに対する処理を施す前に、そのウェブを検査し、欠陥があった場合にはその欠陥の除去或いは補修等の処置を施すことが考えられる。このような検査及び処置を行うには、従来より、巻取からウェブを巻き返して欠陥を検出する装置が知られているので、そのような装置を用い、処理前のウェブを巻き返しながら欠陥を検出し（第一工程）、次いで、検査済のウェブを別の巻き返し機にセットして再度ウェブを巻き返してゆき、その途中で先に検出した欠陥情報に基づいて欠陥を見いだし、その欠陥の除去或いは補修等の処置を施す（第二工程）という動作を行えば良い。
【０００５】
ところが、この方法でウェブの欠陥の検査、処置を施す場合、欠陥検査と欠陥処置とを二つの工程に分けて実施するため、工程数が多くなると共に、欠陥検査済の巻取を、欠陥処置用の巻き返し機にセットする作業を必要とするという問題が生じる。しかも、処置済の巻取を今度は、コーティング等の処理を行うための装置に運搬して取り付けるという作業も必要となる。このため、巻取を巻き返し機、処理装置等に対する着脱作業や、装置間での運搬作業等のハンドリング作業が多く必要となり、多大な労力及び時間を要するという問題が生じた。
【０００６】
本発明はかかる問題点に鑑みてなされたもので、ウェブに対するコーティング、印刷等の処理を行うに先立って、ウェブの欠陥検査及びその処置を効率的に行うことができ、且つ巻取の、処理装置等に対する着脱、運搬等のハンドリング作業を少なくすることの可能なウェブの検査、処理方法及びそれに用いる装置を提供することを目的とする。
【０００７】
【課題を解決するための手段】
本発明は、上記した問題点を解決するため、それぞれがウェブの巻き出し及び巻き取りを行う第一の巻出兼巻取装置と第二の巻出兼巻取装置とを設けると共にウェブが両者間の所定の走行経路を走行するように構成し、処理を施すべきウェブの巻取を第一の巻出兼巻取装置にセットし、その巻取からウェブを巻き出して第二の巻出兼巻取装置に走行させて該第二の巻出兼巻取装置で巻き取ってゆき、その際にウェブの欠陥の検査並びに欠陥に対する処置を行い、第二の巻出兼巻取装置によるウェブの巻き取りを終了した後、今度は第二の巻出兼巻取装置に巻き取った巻取からウェブを巻き出し、前回とは逆方向に走行させて前記第一の巻出兼巻取装置で巻き取ってゆき、その際にウェブに対して、コーティング、印刷、ラミネートから選んだ所定の処理を施すという構成としたものである。この構成により、検査及び処理を施すべきウェブの巻取を第一の巻出兼巻取装置にセットした後は、そのウェブを正方向及び逆方向に走行させることで欠陥の検査、処置及び所定の処理を施すことができ、従来のように検査を終わったウェブの巻取の着脱及び運搬、処置を終わったウェブの巻取の着脱及び運搬を行う必要がなくなり、巻取の着脱、運搬等のハンドリング作業を少なくでき、且つウェブの欠陥検査、その処置及び所定の処理を効率的に行うことができる。
【０００８】
【発明の実施の形態】
本発明の一実施の形態に係るウェブの検査、処理方法は、第一の巻出兼巻取装置にセットした巻取からウェブを巻き出し、検査領域及び処理領域を通して走行させて第二の巻出兼巻取装置で巻き取ってゆき、その際にウェブの欠陥の検査並びに欠陥に対する処置を行い、第二の巻出兼巻取装置によるウェブの巻き取りを終了した後、今度は第二の巻出兼巻取装置に巻き取って形成した巻取からウェブを巻き出し、前回とは逆方向に走行させて前記第一の巻出兼巻取装置で巻き取ってゆき、その際にウェブに対して所定の処理を施すことを特徴とし、これによって、ウェブの欠陥検査、その処置及び所定の処理を効率的に行うことができると共に巻取のハンドリング作業を少なくできる。
【０００９】
本発明の一実施の形態に係るウェブの検査、処理装置は、それぞれがウェブの巻き出し及び巻き取りを行う第一の巻出兼巻取装置及び第二の巻出兼巻取装置と、前記第一の巻出兼巻取装置と第二の巻出兼巻取装置の間で、ウェブが所定の走行経路を走行するように案内するガイド手段と、前記所定の走行経路を第一の巻出兼巻取装置から第二の巻出兼巻取装置に向かって走行するウェブの欠陥を検査する検査装置と、前記所定の走行経路を第二の巻出兼巻取装置から第一の巻出兼巻取装置に向かって走行するウェブに所定の処理を施す処理装置とを備えたことを特徴とし、これによって上記したウェブの検査、処理方法を実施できる。
【００１０】
本発明で処理の対象とするウェブは、紙、フィルム等ウェブ状のものであれば任意であり、また、その紙、フィルム等は共に単層のものであっても、積層したものでもよく、更には、印刷や蒸着等を施したものでもよい。検査するウェブの欠陥も任意であり、例えば、異物付着、汚れ、シワ、穴、切れ目等を例示できる。ウェブに対して施す所定の処理は、コーティング、印刷、ラミネートから選んだものとする。このうち、特に、ウェブの片面に、ロール、版胴等を用いてコーティング又は印刷を行う場合に本発明を適用することが好ましい。すなわち、これらのコーティング又は印刷を行う場合には、ウェブに穴、切れ目等の欠陥があると、その穴、切れ目等からコーティング剤やインキが漏れてトラブルを起こすことが多いので、その欠陥をあらかじめ検出し、適当な処置（除去しておくとか、粘着テープ等で塞ぐ処置等）を施しておくことでこれらのトラブルを回避でき、好ましい。
【００１１】
ウェブの欠陥を検出した時の処置方法としては、その欠陥を含む領域を全幅に渡って除去し、その前後のウェブをつなぎ合わせる方法、欠陥のある領域の側縁に目印のテープを貼る方法、欠陥を覆い隠すようにウェブ両面からテープを貼る方法等を挙げることができる。このうち、欠陥を覆い隠すようにウェブ両面からテープを貼る方法を採用すると、欠陥が穴或いは切れ目であった場合にそれを塞いで後工程での処理時のトラブル発生を防止できるので好ましい。このため、上記したウェブの検査、処理装置には、ウェブの走行経路に、ウェブの欠陥を覆い隠すようにウェブ両面にテープを貼り付けるテープ貼り付け装置を設けておくことが好ましい。
【００１２】
ここで用いるテープ貼り付け装置には、ウェブの走行経路をはさんで配置され、それぞれが、ウェブの全幅以上の長さのテープを吸着保持する第一吸着板及び第二吸着板と、前記第一吸着板及び第二吸着板をウェブから離れた待機位置と、それぞれに保持しているテープをウェブの同一領域の両面に貼り付ける貼り付け位置に移動させる駆動手段とを備えた構成のものを用いることが好ましい。この構成のテープ貼り付け装置では、前記した第一吸着板及び第二吸着板にそれぞれ、粘着剤を塗布したテープを保持させておき、駆動手段でその第一吸着板及び第二吸着板を貼り付け位置に移動させることで、ウェブを前記第一吸着板及び第二吸着板ではさみ付け、ウェブの両面の同一位置にテープを貼り付けることができる。ここで、第一吸着板及び第二吸着板をウェブ幅を越える長さとしておき、その上にウェブ幅を越える長さのテープを保持させておくことで、ウェブの全幅に渡ってテープを貼り付けることができ、欠陥がウェブの幅方向のどの位置にあっても、その欠陥をテープで覆うことができる。また、テープをウェブの側縁よりも外側に突出させておくと、ウェブを巻き取って形成した巻取中におけるテープ位置を容易に認識できる。
【００１３】
上記したウェブの検査、処理装置において、前記検査装置によるウェブの検査位置の両側にそれぞれ、ウェブを幅方向に広げるためのエキスパンダーローラを設け、更に、そのエキスパンダーローラの取り付け方向をウェブの走行方向に応じて変更する切り替え手段を設けることが好ましい。この構成とすると、ウェブを正逆いずれの方向に走行させる場合にも、エキスパンダーローラが検査装置によるウェブの検査位置を通過するウェブを幅方向に広げて、しわやたるみの発生を防止し、このため、ウェブが正逆いずれの方向に走行する場合にも検査装置でウェブの欠陥を良好に検査できる。
【００１４】
以下、図面を参照して本発明の好適な実施の形態を説明する。図１は本発明の実施の形態に係るウェブの検査、処理装置を、ウェブの検査、処置を行う状態で示す概略側面図、図２はその装置を、ウェブに対する所定の処理を行う状態で示す概略側面図である。１は処理すべきウェブ、１Ａ、１Ｂはウェブの巻取、２はセットした巻取１Ａからウェブ１を巻き出し、また、ウェブ１を巻取１Ａに巻き取る第一の巻出兼巻取装置、３はウェブ１を巻取１Ｂに巻き取り、またその巻取１Ｂからウェブ１を巻き出す第二の巻出兼巻取装置、４はウェブ１を案内する多数のローラであり、ウェブ１が所定の走行経路を走行するように案内するガイド手段を構成する。
【００１５】
６はウェブの検査を行う検査領域であり、走行中のウェブ１を目視検査するための照明板７と、走行中のウェブ１の欠陥を検査する検査装置８と、検査装置８で検査される位置のウェブ１を支持するための受けローラ９と、その前後に配置されたエキスパンダーローラ１０、１１等を備えている。検査装置８は、図３に示すように、ウェブ１をその全幅に渡って撮影する複数のカメラ８ａと、そのカメラ８ａで撮影した画像を処理して欠陥を検出する画像処理装置（図示せず）と、画像を表示するモニター等を備えており、画像処理によりウェブ１の欠陥を検出でき、またその欠陥領域をモニターに表示することで目視判断することもできる。エキスパンダーローラ１０、１１は、ウェブ１を幅方向の両側に引っ張ってしわを伸ばすためのものであり、図４（ａ）、（ｂ）に示すように、検査装置８の前後に配置している。更に、各エキスパンダーローラ１０、１１にはそれぞれ、そのエキスパンダーローラの湾曲方向を変更するための切り替え手段としてロータリーアクチュエータ１０Ａ、１０Ｂが連結されている。かくして、図４（ａ）に示すように、ウェブ１を矢印Ａで示す方向に走行させる時には、エキスパンダーローラ１０、１１を、その凸状の湾曲がウェブ１の下流側を向くように位置決めしておくことで、検査装置８の下を通過するウェブ部分を幅方向に引っ張ってその部分にしわが生じることを防止し、検査装置８によってウェブ１の欠陥を良好に検査でき、また、図４（ｂ）に示すように、ウェブ１を矢印Ｂで示すように前回とは逆方向に走行させる時には、エキスパンダーローラ１０、１１を、その凸状の湾曲がウェブ１の下流側を向くように位置決めしておくことで、検査装置８の下を通過するウェブ部分を幅方向に引っ張ってその部分にしわが生じることを防止し、検査装置８によってウェブ１の欠陥を良好に検査できる。すなわち、この実施形態では、ウェブ１の往復走行のいずれにおいてもウェブ１の欠陥検査を良好に行うことができる。なお、ウェブ１の欠陥検査を、ウェブ１の１方向への走行時のみで行えば良い場合には、エキスパンダーローラは検査装置８の両側に設ける必要はなく、ウェブ１の走行方向に関して検査装置８の上流側のみに設ければよい。
【００１６】
図１、図２において、１３はウェブ１に所定の処理を施すための処理領域であり、この実施の形態ではコーティング又は印刷を行うものとして示している。すなわち、この処理領域１３には、グラビア印刷方式でコーティング又は印刷を行うための版胴１４と、圧胴１５と、乾燥装置１６等を備えた処理装置が設けられており、図２に示すように、ウェブ１が第二の巻出兼巻取装置３から第一の巻出兼巻取装置２に向かって走行する際に、そのウェブ１にコーティング又は印刷を行う構成となっている。なお、図１に示すように、ウェブ１が第一の巻出兼巻取装置２から第二の巻出兼巻取装置３に向かって走行する際には、圧胴１５をウェブ１の走行に支障を生じない位置に退避させることができる構成となっている。
【００１７】
１８は、ウェブ１の欠陥に対して処置を行うための処置領域である。この処置領域１８には、ウェブ１が垂直に走行する経路（符号１ａで示す経路）を形成すると共にその経路１ａに両側から容易にアクセス可能としており、その経路１ａのところで、ウェブ１の欠陥領域を切断除去し、その前後をつなぎ合わせるといった操作を手作業で行うことができる構成としている。更に、この経路１ａの両側には、ウェブの欠陥を覆い隠すようにウェブ両面にテープを貼り付けるテープ貼り付け装置２０を設けている。このテープ貼り付け装置２０は、例えば、図５（ａ）に示すように、ウェブ１に小さい汚れ、穴等の欠陥２２があった場合に、その欠陥２２を覆い隠すようにテープ２３をウェブ両面からウェブの全幅以上に渡って貼り付けるものである。
【００１８】
図６〜図８はこのテープ貼り付け装置２０を示すものである。テープ貼り付け装置２０は、ウェブの走行経路１ａをはさんで両側に配置され、それぞれが、ウェブの全幅以上の長さのテープを吸着保持する第一吸着板２４及び第二吸着板２５と、その第一吸着板２４及び第二吸着板２５をウェブ１から離れた待機位置と、それぞれに保持しているテープをウェブの同一領域の両面に貼り付ける貼り付け位置に移動させる駆動手段２６を備えている。ここで、第一吸着板２４は図８に示すように、その前面２４ａのほぼ全長に多数の真空吸引穴２７を形成すると共にその背後に真空室を備えており、その真空室をブロワー等で真空吸引することで前面２４ａにテープを吸引保持できる。更に、この前面２４ａの両端近傍にはナイフ案内溝２８を形成しており、テープを第一吸着板２４の前面２４ａの全長に渡って保持させた後、そのナイフ案内溝２８に沿ってカッターナイフを移動させることで、その上に延びているテープを切断でき、テープを所定長さに切断して前面２４ａ上の所定位置に吸引、保持させた状態とすることができる。更に、図７から良く分かるように、第一吸着板２４の一端にはテープの一端を固定するためのクリップ２９が取り付けられている。これにより、作業者がテープの一端をクリップ２９に固定し、そのテープを前面２４ａ上に乗せながら第一吸着板２４の反対端まで引っ張って行くことで、第一吸着板２４の前面２４ａが長くてもテープをその前面２４ａ上の所定位置に乗せ、吸着保持させることができる。第二吸着板２５も第一吸着板２４と同様な構成である。
【００１９】
図６、図７において、駆動手段２６は、経路１ａの片側の定位置に回転可能に配置された第一回転軸３１と、その第一回転軸３１を所定の角度範囲内で往復回転させるエアシリンダ３２と、第一回転軸３１に保持されたレバー３３と、そのレバー３３に保持されると共に前記した第一吸着板２４を保持したシリンダ機構３４と、経路１ａの反対側の定位置に回転可能に配置された第二回転軸３６と、その第二回転軸３６を所定の角度範囲内で往復回転させるエアシリンダ３７と、第二回転軸３６に保持されると共に前記した第二吸着板２５を保持したレバー３８等を備えている。ここで、エアシリンダ３２及び３７による第一回転軸３１及び第二回転軸３６の回転角度範囲は、保持している第一吸着板２４及び第二吸着板２５のテープを保持するための前面２４ａ、２５ａが、図６に実線で示すように、ウェブ１の走行経路１ａに平行となる位置と二点鎖線で示すように水平となる位置とに回動させることができるように定められている。また、第二吸着板２５の取り付け位置は、その第二吸着板２５の前面２５ａを走行経路１ａに平行な状態とした時に、その前面２５ａが走行経路１ａからわずかに離れた位置となるように定められている。一方、第一吸着板２４の取り付け位置及び第一吸着板２４を保持したシリンダ機構３４の移動ストロークは、シリンダ機構３４を引っ込めた状態で第一吸着板２４の前面２４ａを走行経路１ａに平行な状態とした時に、その前面２４ａが走行経路１ａから適当に離れた状態で第二吸着板２５と向かい合い、その後シリンダ機構３４を伸び出させた時には第一吸着板２４の前面がウェブ１を介して第二吸着板２５の前面２５ａに押し付けられるように定められている。
【００２０】
なお、図示は省略しているが、このウェブの検査、処理装置には、以下の動作を実施するための制御装置が設けられている。
【００２１】
次に、上記構成のウェブの検査、処理装置を用いた欠陥検査、処置並びに処理動作を説明する。まず、図１に示すように、検査、処理すべきウェブの巻取１Ａを第一の巻出兼巻取装置２にセットし、ウェブ１を図示したように装置内に通す。この時、処理領域１３における圧胴１５は上方に退避させておき、ウェブ１が版胴１４に接触しないようにしておく。なお、図面では圧胴１５がウェブ１に接触しない位置に退避しているが、圧胴１５は必ずしもこの位置まで退避させる必要はなく、圧胴１５でウェブ１をガイドするようにしてもよい。
【００２２】
この状態でウェブ１を巻取１Ａから巻き出し、矢印Ａで示す方向に走行させて第二の巻出兼巻取装置３で巻取１Ｂに巻き取って行く。このウェブ１の矢印Ａ方向への走行時に、ウェブ１の欠陥検査を行う。すなわち、検査装置８が常時、ウェブ１を撮影し、その画像を処理して欠陥の有無を検査する。そして、欠陥が検出されると、制御装置がウェブの検査、処理装置（以下機械と略称する）を停止させてウェブの走行を停止させると共に警報を出して作業者に欠陥検出を知らせる。この停止の前には、ウェブ１は高速で走行しているため、ウェブ１を瞬間的に停止させることはできず、減速しながら停止させることとなるため、ウェブの走行を停止した時点では、先に検出された欠陥は下流に送られ、第二の巻出兼巻取装置３の巻取１Ｂ内に巻き取られた状態となっている。前記した制御装置は、ウェブ１の欠陥を検出した時点からウェブ１の走行距離をカウントしており、これにより、ウェブ１を走行を停止した時に先に検出した欠陥がどの位置に移動しているかを認識している。
【００２３】
機械が停止すると、作業者はモニターを操作して先に検出した欠陥の画像を観察し、欠陥の状況を調べる。そして、その欠陥が処置を施すべきものである場合には、制御装置に巻き戻し指令を入力する。これにより、制御装置は、機械の運転を再開し、今度はウェブ１を前回とは逆方向に走行させ、先に検出したウェブの欠陥を巻取１Ｂから巻き出し、処置領域１８の垂直の走行経路１ａ上の所定位置（図６において第一吸着板２４と第二吸着板２５ではさまれた領域）にまで戻して、停止させる。なお、このウェブ走行時、ウェブ１は第一の巻出兼巻取装置２の巻取１Ａに巻き取られている。
【００２４】
ウェブ１が逆走されて、欠陥が所定位置に戻された時、テープ貼り付け装置２０は、図９（ａ）に示すように、ウェブ１の両側の第一吸着板２４及び第二吸着板２５はそれぞれの前面２４ａ、２５ａが上向きとなっており、その上には上面に粘着剤層を備えたテープ２３が吸着保持されている。なお、これらの第一吸着板２４及び第二吸着板２５にテープ２３を保持させておく操作は、ウェブ検査動作中の適当な時期に作業者が手作業で行っておく。
【００２５】
そして、ウェブ１の欠陥が所定位置に引き戻され、ウェブ１が停止すると、その欠陥が図５に示すような小さい欠陥２２であった場合には、作業者がテープ貼り付け装置２０の操作ボタンを押す。これにより、図９（ｂ）に示すように、第一回転軸３１及び第二回転軸３６が回転して第一吸着板２４及び第二吸着板２５を、ウェブ１を介して互いに向かい合う位置に位置決めし、次いで、シリンダ機構３４が作動して第一吸着板２４を押し出し、図９（ｃ）に示すように、第一吸着板２４でウェブ１を第二吸着板２５に押し付ける。これにより、第一吸着板２４及び第二吸着板２５に保持しているテープ２３、２３がウェブ１の両面から押し付けられ、図５（ｂ）に示すように、ウェブ１の両面に貼り付けられ、欠陥２２を隠すと共に、欠陥２２が穴や切り欠きの場合にはそれを塞ぐ。また、欠陥が大きくてテープ２３では覆いきれない場合には、作業者が手作業でウェブ１の欠陥のある領域を切断、除去し、その前後のウェブをつなぎ合わせる。
【００２６】
以上のような欠陥処置を行った後、再びウェブの検査動作を開始する。すなわち、図１でウェブ１を矢印Ａ方向に走行させ、ウェブ１の欠陥を検査しながら、ウェブ１を第二の巻出兼巻取装置３の巻取１Ｂ上に巻き取ってゆく。以下、同様の動作により、第一の巻出兼巻取装置２にセットした巻取１Ａのウェブ１のほぼ全長（巻取１Ａの巻芯近傍の製品とならない領域を除いた全長）を検査し、巻取１Ｂとして巻き取ることで、検査、処置工程を終了する。なお、この終了時にも、第一の巻出兼巻取装置２と第二の巻出兼巻取装置３との間のウェブの走行経路にはウェブ１が通されたままとしておく。
【００２７】
次に、図２に示すように、処理領域１３の圧胴１５をウェブ１を版胴１４に押し付ける作動位置に下降させ、この状態でウェブ１を第二の巻出兼巻取装置３の巻取１Ｂから巻き出し、第一の巻出兼巻取装置２に向かって矢印Ｂ方向に走行させ、第一の巻出兼巻取装置２で巻取１Ａを形成するように巻き取って行く。このウェブ１の矢印Ｂ方向への走行中、処理領域１３において、そのウェブ１に対して所定の処理（コーティング、印刷等）を行う。このようにして、先にウェブ１の欠陥の検査及び処置を施して巻き取ったウェブ１の巻取１Ｂから、ウェブ１を巻き戻し、そのウェブ１に所定の処理を施しているので、そのウェブ１には、ウェブ１の処理にトラブルとなるような穴、切れ目等の欠陥は無く（テープ２３で補修されているため）、このためウェブ１の処理を連続して行うことができる。また、第二の巻出兼巻取装置３で巻き取った巻取１Ｂを着脱したり運搬したりする必要がないので、直ちにその巻取１Ｂからウェブ１を巻き出して処理動作に入ることができる。なお、この処理動作の際にも、必要に応じ検査装置８を作動させることでウェブ１の欠陥を検出することができ、ウェブ１に対するコーティング、印刷等の処理時に生じた欠陥を検出できる。
【００２８】
以上のようにして、ウェブ１に対する所定の処理を施しながらウェブ１の第一の巻出兼巻取装置２に巻取１Ａとして巻き取り、ウェブ１のほぼ全長の巻き取りを終了すると、機械を停止する。なお、この時にも、次回の操作時における機械に対する紙通しを容易に行うため、機械内のウェブの走行経路にはウェブが通った状態としておく。そして、巻取１Ａを取り外す。以上の操作により、巻取に対する欠陥の検査及び処置、並びにコーティング、印刷の処理を効率より施すことができる。
【００２９】
【発明の効果】
以上に説明したように、本発明によれば、検査及び処理を施すべきウェブの巻取を第一の巻出兼巻取装置にセットし、その巻取からウェブを巻き出して第二の巻出兼巻取装置に向かって走行させて該第二の巻出兼巻取装置で巻き取ってゆき、その際にウェブの欠陥の検査並びに欠陥に対する処置を行い、第二の巻出兼巻取装置によるウェブの巻き取りを終了した後、今度は第二の巻出兼巻取装置に巻き取った巻取からウェブを巻き出し、前回とは逆方向に走行させて前記第一の巻出兼巻取装置で巻き取ってゆき、その際にウェブに対して、コーティング、印刷、ラミネートから選んだ所定の処理を施すという構成としたことにより、検査及び処理を施すべきウェブの巻取を第一の巻出兼巻取装置にセットした後は、そのウェブを正方向及び逆方向に走行させる間に欠陥の検査、処置及びコーティング、印刷、ラミネート等の所定の処理を施すことができ、従来のように検査を終わったウェブの巻取の着脱及び運搬、処置を終わったウェブの巻取の着脱及び運搬を行う必要がなくなり、巻取の着脱、運搬等のハンドリング作業を少なくでき、且つウェブの欠陥検査、欠陥の処置、及び所定の処理を効率的に行うことができるといった効果を有している。
【図面の簡単な説明】
【図１】  本発明の実施の形態に係るウェブの検査、処理装置を、ウェブの検査、処置を行う状態で示す概略側面図
【図２】図１に示す装置を、ウェブに対する所定の処理を行う状態で示す概略側面図
【図３】図１に示す装置において、ウェブを検査装置８で検査する状態を示す概略正面図
【図４】（ａ）は図１に示す装置において検査装置８及びその前後に配置したエキスパンダーローラを、ウェブが矢印Ａ方向に走行する時の状態で示す概略平面図
（ｂ）は図１に示す装置において検査装置８及びその前後に配置したエキスパンダーローラを、ウェブが矢印Ｂ方向に走行する時の状態で示す概略平面図
【図５】（ａ）はウェブにある欠陥を示す概略平面図
（ｂ）はその欠陥をテープで覆った状態を示す概略平面図
【図６】図１に示す装置に設けているテープ貼り付け装置の概略側面図
【図７】図６に示すテープ貼り付け装置の概略平面図
【図８】（ａ）は図６のテープ貼り付け装置に設けている第一吸着板の概略前面図
（ｂ）はその一部の拡大して示す概略前面図
【図９】（ａ）、（ｂ）、（ｃ）は図６のテープ貼り付け装置の動作を説明する概略側面図
【符号の説明】
１  ウェブ
１Ａ、１Ｂ  ウェブの巻取
２  第一の巻出兼巻取装置
３  第二の巻出兼巻取装置
４  ローラ
６  検査領域
８  検査装置
９  受けローラ
１０、１１  エキスパンダーローラ
１０Ａ、１０Ｂ  ロータリーアクチュエータ
１３  処理領域
１４  版胴
１５  圧胴
１６  乾燥装置
１８  処置領域
２０  テープ貼り付け装置
２２  欠陥
２３  テープ
２４  第一吸着板
２５  第二吸着板
２６  駆動手段
【図１】
0004278254.tif 000002
【図２】
0004278254.tif 000003
【図３】
0004278254.tif 000004
【図４】
0004278254.tif 000005
【図５】
0004278254.tif 000006
【図６】
0004278254.tif 000007
【図７】
0004278254.tif 000008
【図８】
0004278254.tif 000009
【図９】
0004278254.tif 000010